(57)【要約】  本発明は、ハンドオーバ方法、装置およびコンピュータ記憶媒体を開示し、前記方法は、第１アクセスネットワーク要素は、第１情報または受信した第１メッセージに従って、端末が第１アクセスネットワークから第２アクセスネットワークにハンドオーバするとき、前記第１アクセスネットワークと第１コアネットワーク間の接続を維持することを決定することと、前記第１アクセスネットワーク要素は、第２アクセスネットワーク要素によって転送された前記端末のデータを受信し、前記データを前記第１コアネットワーク要素に送信することとを含む。
2021516476.tif 000002
【特許請求の範囲】
【請求項１】
ハンドオーバ方法であって、
第１アクセスネットワーク要素は、第１情報または受信した第１メッセージに従って、端末が第１アクセスネットワークから第２アクセスネットワークにハンドオーバするとき、前記第１アクセスネットワークと第１コアネットワーク間の接続を維持することを決定することと、
前記第１アクセスネットワーク要素は、第２アクセスネットワーク要素によって転送された前記端末のデータを受信し、前記データを第１コアネットワーク要素に送信することとを含む、前記ハンドオーバ方法。
【請求項２】
前記第１アクセスネットワーク要素は、第１情報に従って、端末が第１アクセスネットワークから第２アクセスネットワークにハンドオーバするとき、前記第１アクセスネットワークと第１コアネットワーク間の接続を維持することを決定することは、
前記第１アクセスネットワーク要素は、前記端末の能力情報および／または前記第２アクセスネットワーク要素の能力情報に従って、端末が第１アクセスネットワークから第２アクセスネットワークにハンドオーバするとき、前記第１アクセスネットワークと第１コアネットワーク間の接続を維持することを決定することを含む、
請求項１に記載のハンドオーバ方法。
【請求項３】
前記第１アクセスネットワーク要素は、受信した第１メッセージに従って、端末が第１アクセスネットワークから第２アクセスネットワークにハンドオーバするとき、前記第１アクセスネットワークと第１コアネットワーク間の接続を維持することを決定することは、
前記第１アクセスネットワーク要素が第１ハンドオーバ要求メッセージを送信することにより、前記第１コアネットワーク要素または第２コアネットワーク要素は、前記端末のサービスタイプに従って、端末が第１アクセスネットワークから第２アクセスネットワークにハンドオーバするとき、前記第１アクセスネットワークと第１コアネットワーク間の接続を維持することを決定することと、
前記第１アクセスネットワーク要素は、前記第１コアネットワーク要素または第２コアネットワーク要素からのハンドオーバフィードバックメッセージに基づいて、端末が第１アクセスネットワークから第２アクセスネットワークにハンドオーバするとき、前記第１アクセスネットワークと第１コアネットワーク間の接続を維持することを決定することとを含む、
請求項１に記載のハンドオーバ方法。
【請求項４】
前記第１コアネットワーク要素または第２コアネットワーク要素は、前記端末のサービスタイプに従って、端末が第１アクセスネットワークから第２アクセスネットワークにハンドオーバするとき、前記第１アクセスネットワークと第１コアネットワーク間の接続を維持することを決定することは、
前記第１コアネットワーク要素または第２コアネットワーク要素は、前記第２コアネットワーク要素が前記端末のサービスタイプをサポートしないと決定した場合、端末が第１アクセスネットワークから第２アクセスネットワークにハンドオーバするとき、前記第１アクセスネットワークと第１コアネットワーク間の接続を維持することを決定することを含む、
請求項３に記載のハンドオーバ方法。
【請求項５】
前記第１コアネットワーク要素は、前記端末のサービスタイプに従って、端末が第１アクセスネットワークから第２アクセスネットワークにハンドオーバするとき、前記第１アクセスネットワークと第１コアネットワーク間の接続を維持することを決定する場合、
前記第１アクセスネットワーク要素が第１ハンドオーバ要求メッセージを送信することは、
前記第１アクセスネットワーク要素が前記第１コアネットワーク要素に第１ハンドオーバ要求メッセージを送信することを含む、
請求項３または４に記載のハンドオーバ方法。
【請求項６】
前記第２コアネットワーク要素は、前記端末のサービスタイプに従って、端末が第１アクセスネットワークから第２アクセスネットワークにハンドオーバするとき、前記第１アクセスネットワークと第１コアネットワーク間の接続を維持することを決定する場合、
前記第１アクセスネットワーク要素が第１ハンドオーバ要求メッセージを送信することは、
前記第１アクセスネットワーク要素が前記第２コアネットワーク要素に第１ハンドオーバ要求メッセージを送信すること、または前記第１コアネットワーク要素を介して前記第２コアネットワーク要素に第１ハンドオーバ要求メッセージを送信することを含む、
請求項３または４に記載のハンドオーバ方法。
【請求項７】
前記第１アクセスネットワーク要素は、受信した第１メッセージに従って、端末が第１アクセスネットワークから第２アクセスネットワークにハンドオーバするとき、前記第１アクセスネットワークと第１コアネットワーク間の接続を維持することを決定することは、
前記第１アクセスネットワーク要素が第２ハンドオーバ要求メッセージを送信することであって、前記第２ハンドオーバ要求メッセージは指示情報を搬送し、前記指示情報は、端末が第１アクセスネットワークから第２アクセスネットワークにハンドオーバするとき、前記第１アクセスネットワークと第１コアネットワーク間の接続の維持を指示するために使用されることにより、第２コアネットワーク要素が前記第２ハンドオーバ要求メッセージを確認し、ハンドオーバ要求確認メッセージをフィードバックすることと、
前記第１アクセスネットワーク要素は、前記ハンドオーバ要求確認メッセージに基づいて、端末が第１アクセスネットワークから第２アクセスネットワークにハンドオーバするとき、前記第１アクセスネットワークと第１コアネットワーク間の接続を維持することを決定することを含む、
請求項１に記載のハンドオーバ方法。
【請求項８】
前記第１アクセスネットワーク要素が第２ハンドオーバ要求メッセージを送信することは、
前記第１アクセスネットワーク要素が第２コアネットワーク要素に第２ハンドオーバ要求メッセージを送信すること、または前記第２アクセスネットワーク要素を介して前記第２コアネットワーク要素に第２ハンドオーバ要求メッセージを送信することを含む、
請求項７に記載のハンドオーバ方法。
【請求項９】
前記ハンドオーバ要求確認メッセージには、前記第２アクセスネットワーク要素が前記端末に対して割り当てたリソースが搬送される、
請求項７または８に記載のハンドオーバ方法。
【請求項１０】
前記方法は、
前記第１アクセスネットワーク要素がハンドオーバコマンドを前記端末に送信することであって、前記端末は、第１アクセスネットワークから第２アクセスネットワークへのハンドオーバを完了した後に、ハンドオーバ完了メッセージを前記第２アクセスネットワークに送信することと、
前記第１アクセスネットワーク要素は、前記第２アクセスネットワーク要素によって送信されるハンドオーバ確認メッセージを受信することとをさらに含む、
請求項１ないし９のいずれか一項に記載のハンドオーバ方法。
【請求項１１】
ハンドオーバ装置であって、
第１情報または受信した第１メッセージに従って、端末が第１アクセスネットワークから第２アクセスネットワークにハンドオーバするとき、前記第１アクセスネットワークと第１コアネットワーク間の接続を維持することを決定するように構成される決定ユニットと、
第２アクセスネットワーク要素によって転送された前記端末のデータを受信し、前記データを第１コアネットワーク要素に送信するように構成される伝送ユニットとを含む、前記ハンドオーバ装置。
【請求項１２】
前記決定ユニットは、
前記端末の能力情報および／または前記第２アクセスネットワーク要素の能力情報に従って、端末が第１アクセスネットワークから第２アクセスネットワークにハンドオーバするとき、前記第１アクセスネットワークと第１コアネットワーク間の接続を維持することを決定するように構成される第１決定サブユニットを含む、
請求項１１に記載のハンドオーバ装置。
【請求項１３】
前記決定ユニットは、
第１ハンドオーバ要求メッセージを送信することにより、前記第１コアネットワーク要素または第２コアネットワーク要素は、前記端末のサービスタイプに従って、端末が第１アクセスネットワークから第２アクセスネットワークにハンドオーバするとき、前記第１アクセスネットワークと第１コアネットワーク間の接続を維持することを決定し、前記第１コアネットワーク要素または第２コアネットワーク要素からのハンドオーバフィードバックメッセージに基づいて、端末が第１アクセスネットワークから第２アクセスネットワークにハンドオーバするとき、前記第１アクセスネットワークと第１コアネットワーク間の接続を維持することを決定するように構成される第２決定サブユニットを含む、
請求項１１に記載のハンドオーバ装置。
【請求項１４】
前記第１コアネットワーク要素または第２コアネットワーク要素は、前記端末のサービスタイプに従って、端末が第１アクセスネットワークから第２アクセスネットワークにハンドオーバするとき、前記第１アクセスネットワークと第１コアネットワーク間の接続を維持することを決定することは、
前記第１コアネットワーク要素または第２コアネットワーク要素は、前記第２コアネットワーク要素が前記端末のサービスタイプをサポートしないと決定した場合、端末が第１アクセスネットワークから第２アクセスネットワークにハンドオーバするとき、前記第１アクセスネットワークと第１コアネットワーク間の接続を維持することを決定することを含む、
請求項１３に記載のハンドオーバ装置。
【請求項１５】
前記第１コアネットワーク要素は、前記端末のサービスタイプに従って、端末が第１アクセスネットワークから第２アクセスネットワークにハンドオーバするとき、前記第１アクセスネットワークと第１コアネットワーク間の接続を維持することを決定する場合、
前記第２決定サブユニットは、前記第１コアネットワーク要素に第１ハンドオーバ要求メッセージを送信するように構成される、
請求項１３または１４に記載のハンドオーバ装置。
【請求項１６】
前記第２コアネットワーク要素は、前記端末のサービスタイプに従って、端末が第１アクセスネットワークから第２アクセスネットワークにハンドオーバするとき、前記第１アクセスネットワークと第１コアネットワーク間の接続を維持することを決定する場合、
前記第２決定サブユニットは、前記第２コアネットワーク要素に第１ハンドオーバ要求メッセージを送信し、または前記第１コアネットワーク要素を介して前記第２コアネットワーク要素に第１ハンドオーバ要求メッセージを送信するように構成される、
請求項１３または１４に記載のハンドオーバ装置。
【請求項１７】
前記決定ユニットは、
第３決定サブユニットを含み、前記第３決定サブユニットは、第２ハンドオーバ要求メッセージを送信するように構成され、前記第２ハンドオーバ要求メッセージは指示情報を搬送し、前記指示情報は、端末が第１アクセスネットワークから第２アクセスネットワークにハンドオーバするとき、前記第１アクセスネットワークと第１コアネットワーク間の接続の維持を指示するために使用されることにより、第２コアネットワーク要素が前記第２ハンドオーバ要求メッセージを確認し、ハンドオーバ要求確認メッセージをフィードバックし、前記ハンドオーバ要求確認メッセージに基づいて、端末が第１アクセスネットワークから第２アクセスネットワークにハンドオーバするとき、前記第１アクセスネットワークと第１コアネットワーク間の接続を維持することを決定するように構成される、
請求項１１に記載のハンドオーバ装置。
【請求項１８】
前記第３決定サブユニットは、第２コアネットワーク要素に第２ハンドオーバ要求メッセージを送信し、または前記第２アクセスネットワーク要素を介して前記第２コアネットワーク要素に第２ハンドオーバ要求メッセージを送信するように構成される、
請求項１７に記載のハンドオーバ装置。
【請求項１９】
前記ハンドオーバ要求確認メッセージには、前記第２アクセスネットワーク要素が前記端末に対して割り当てたリソースが搬送される、
請求項１７または１８に記載のハンドオーバ装置。
【請求項２０】
前記ハンドオーバ装置は、
ハンドオーバ制御ユニットおよびハンドオーバ確認ユニットをさらに含み、
前記ハンドオーバ制御ユニットは、ハンドオーバコマンドを前記端末に送信するように構成され、前記端末は、第１アクセスネットワークから第２アクセスネットワークへのハンドオーバを完了した後に、ハンドオーバ完了メッセージを前記第２アクセスネットワークに送信し、
前記ハンドオーバ確認ユニットは、前記第２アクセスネットワーク要素によって送信されるハンドオーバ確認メッセージを受信するように構成される、
請求項１１ないし１９のいずれか一項に記載のハンドオーバ装置。
【請求項２１】
コンピュータ記憶媒体であって、
前記コンピュータ記憶媒体には、コンピュータ実行可能な命令が記憶され、前記コンピュータ実行可能な命令がプロセッサによって実行されるときに、請求項１ないし１０のいずれか一項に記載の方法のステップを具現する、前記コンピュータ記憶媒体。
【発明の詳細な説明】
【技術分野】
【０００１】
本発明は、無線通信の技術分野に関し、特に、ハンドオーバ方法、装置およびコンピュータ記憶媒体に関する。
【背景技術】
【０００２】
次世代移動通信（ＮＧ：Ｎｅｘｔ  Ｇｅｎｅｒａｔｉｏｎ）システムにおいて、図１に示されるように、無線アクセスネットワーク（ＲＡＮ：Ｒａｄｉｏ  Ａｃｃｅｓｓ  Ｎｅｔｗｏｒｋ）は、５Ｇ基地局（ｇＮＢ）および４Ｇ基地局（ｅＮＢ）が５Ｇコアネットワーク（５Ｇ  ＣＮ：５Ｇ  Ｃｏｒｅ  Ｎｅｔｗｏｒｋ）に同時にまたは別々にアクセスするシナリオを含み得る。５Ｇ基地局（図１の５Ｇ  ＲＡＮなど）の場合、アクセスおよびモビリティ管理機能（ＡＭＦ：Ａｃｃｅｓｓ  ａｎｄ  Ｍｏｂｉｌｉｔｙ  Ｍａｎａｇｅｍｅｎｔ  Ｆｕｎｃｔｉｏｎ）エンティティに送信されたハンドオーバ要求（ＨＯ  Ｒｅｑｕｉｒｅ：Ｈａｎｄｏｖｅｒ  Ｒｅｑｕｉｒｅ）メッセージのターゲットアドレス（Ｔａｒｇｅｔ  ｉｄ）は４Ｇ基地局アドレス（ｅＮＢ  ｉｄ）であり、且つ当該４Ｇ基地局が５Ｇ  ＣＮと４Ｇコアネットワーク（ＥＰＣ：Ｅｖｏｌｖｅｄ  Ｐａｃｋｅｔ  Ｃｏｒｅ）の両方にアクセスした場合、ＡＭＦは現在、無線アクセス技術（ＲＡＴ：ｒａｄｉｏ  ａｃｃｅｓｓ  ｔｅｃｈｎｏｌｏｇｙ）ハンドオーバ（即ち、５Ｇ  ＣＮは変更されず、基地局はｇＮＢからｅＮＢに変更される）またはシステム（Ｓｙｓｔｅｍ）ハンドオーバ（即ち、コアネットワークは５Ｇ  ＣＮからＥＰＣに変更される）のどちらを実行するかが判断できない。
【０００３】
さらに、Ｓｙｓｔｅｍハンドオーバを実行する必要がある場合、５Ｇ  ＣＮからＥＰＣへのハンドオーバプロセスを実行する必要があり、同様に、ＥＰＣから５Ｇ  ＣＮにハンドオーバする場合にも、対応するハンドオーバプロセスを実行する必要があるが、コアネットワークのハンドオーバプロセスには、長い時間がかかるため、サービスの中断や長い遅延などのデメリットがある。
【発明の概要】
【発明が解決しようとする課題】
【０００４】
上記の技術的課題を解決するために、本発明の実施例は、ハンドオーバ方法、装置およびコンピュータ記憶媒体を提供する。
【課題を解決するための手段】
【０００５】
本発明の実施例によって提供されるハンドオーバ方法は、
第１アクセスネットワーク要素は、第１情報または受信した第１メッセージに従って、端末が第１アクセスネットワークから第２アクセスネットワークにハンドオーバするとき、前記第１アクセスネットワークと第１コアネットワーク間の接続を維持することを決定することと、
前記第１アクセスネットワーク要素は、第２アクセスネットワーク要素によって転送された前記端末のデータを受信し、前記データを第１コアネットワーク要素に送信することとを含む。
【０００６】
本発明の実施例において、前記第１アクセスネットワーク要素は、第１情報に従って、端末が第１アクセスネットワークから第２アクセスネットワークにハンドオーバするとき、前記第１アクセスネットワークと第１コアネットワーク間の接続を維持することを決定することは、
前記第１アクセスネットワーク要素は、前記端末の能力情報および／または前記第２アクセスネットワーク要素の能力情報に従って、端末が第１アクセスネットワークから第２アクセスネットワークにハンドオーバするとき、前記第１アクセスネットワークと第１コアネットワーク間の接続を維持することを決定することを含む。
【０００７】
本発明の実施例において、前記第１アクセスネットワーク要素は、受信した第１メッセージに従って、端末が第１アクセスネットワークから第２アクセスネットワークにハンドオーバするとき、前記第１アクセスネットワークと第１コアネットワーク間の接続を維持することを決定することは、
前記第１アクセスネットワーク要素が第１ハンドオーバ要求メッセージを送信することにより、前記第１コアネットワーク要素または第２コアネットワーク要素は、前記端末のサービスタイプに従って、端末が第１アクセスネットワークから第２アクセスネットワークにハンドオーバするとき、前記第１アクセスネットワークと第１コアネットワーク間の接続を維持することを決定することと、
前記第１アクセスネットワーク要素は、前記第１コアネットワーク要素または第２コアネットワーク要素からのハンドオーバフィードバックメッセージに基づいて、端末が第１アクセスネットワークから第２アクセスネットワークにハンドオーバするとき、前記第１アクセスネットワークと第１コアネットワーク間の接続を維持することを決定することとを含む。
【０００８】
本発明の実施例において、前記第１コアネットワーク要素または第２コアネットワーク要素は、前記端末のサービスタイプに従って、端末が第１アクセスネットワークから第２アクセスネットワークにハンドオーバするとき、前記第１アクセスネットワークと第１コアネットワーク間の接続を維持することを決定するように構成されることは、
前記第１コアネットワーク要素または第２コアネットワーク要素は、前記第２コアネットワーク要素が前記端末のサービスタイプをサポートしないと決定した場合、端末が第１アクセスネットワークから第２アクセスネットワークにハンドオーバするとき、前記第１アクセスネットワークと第１コアネットワーク間の接続を維持することを決定することを含む。
【０００９】
本発明の実施例において、前記第１コアネットワーク要素は、前記端末のサービスタイプに従って、端末が第１アクセスネットワークから第２アクセスネットワークにハンドオーバするとき、前記第１アクセスネットワークと第１コアネットワーク間の接続を維持することを決定する場合、
前記第１アクセスネットワーク要素が第１ハンドオーバ要求メッセージを送信することは、
前記第１アクセスネットワーク要素が前記第１コアネットワーク要素に第１ハンドオーバ要求メッセージを送信することを含む。
【００１０】
本発明の実施例において、前記第２コアネットワーク要素は、前記端末のサービスタイプに従って、端末が第１アクセスネットワークから第２アクセスネットワークにハンドオーバするとき、前記第１アクセスネットワークと第１コアネットワーク間の接続を維持することを決定する場合、
前記第１アクセスネットワーク要素が第１ハンドオーバ要求メッセージを送信することは、
前記第１アクセスネットワーク要素が前記第２コアネットワーク要素に第１ハンドオーバ要求メッセージを送信または前記第１コアネットワーク要素を介して前記第２コアネットワーク要素に第１ハンドオーバ要求メッセージを送信することを含む。
【００１１】
本発明の実施例において、前記第１アクセスネットワーク要素は、受信した第１メッセージに従って、端末が第１アクセスネットワークから第２アクセスネットワークにハンドオーバするとき、前記第１アクセスネットワークと第１コアネットワーク間の接続を維持することを決定することは、
前記第１アクセスネットワーク要素が第２ハンドオーバ要求メッセージを送信することであって、前記第２ハンドオーバ要求メッセージは指示情報を搬送し、前記指示情報は、端末が第１アクセスネットワークから第２アクセスネットワークにハンドオーバするとき、前記第１アクセスネットワークと第１コアネットワーク間の接続の維持を指示するために使用されることにより、第２コアネットワーク要素が前記第２ハンドオーバ要求メッセージを確認し、ハンドオーバ要求確認メッセージをフィードバックすることと、
前記第１アクセスネットワーク要素は、前記ハンドオーバ要求確認メッセージに基づいて、端末が第１アクセスネットワークから第２アクセスネットワークにハンドオーバするとき、前記第１アクセスネットワークと第１コアネットワーク間の接続を維持することを決定することを含む。
【００１２】
本発明の実施例において、前記第１アクセスネットワーク要素が第２ハンドオーバ要求メッセージを送信することは、
前記第１アクセスネットワーク要素が第２コアネットワーク要素に第２ハンドオーバ要求メッセージを送信すること、または前記第２アクセスネットワーク要素を介して前記第２コアネットワーク要素に第２ハンドオーバ要求メッセージを送信することを含む。
【００１３】
本発明の実施例において、前記ハンドオーバ要求確認メッセージには、前記第２アクセスネットワーク要素が前記端末に対して割り当てたリソースが搬送される。
【００１４】
本発明の実施例において、前記方法は、
前記第１アクセスネットワーク要素がハンドオーバコマンドを前記端末に送信することであって、前記端末は、第１アクセスネットワークから第２アクセスネットワークへのハンドオーバを完了した後に、ハンドオーバ完了メッセージを前記第２アクセスネットワークに送信することと、
前記第１アクセスネットワーク要素は、前記第２アクセスネットワーク要素によって送信されるハンドオーバ確認メッセージを受信することをさらに含む。
【００１５】
本発明の実施例によって提供されるハンドオーバ装置は、
第１情報または受信した第１メッセージに従って、端末が第１アクセスネットワークから第２アクセスネットワークにハンドオーバするとき、前記第１アクセスネットワークと第１コアネットワーク間の接続を維持することを決定するように構成される決定ユニットと、
第２アクセスネットワーク要素によって転送された前記端末のデータを受信し、前記データを第１コアネットワーク要素に送信するように構成される伝送ユニットとを含む。
【００１６】
本発明の実施例において、前記決定ユニットは、
前記端末の能力情報および／または前記第２アクセスネットワーク要素の能力情報に従って、端末が第１アクセスネットワークから第２アクセスネットワークにハンドオーバするとき、前記第１アクセスネットワークと第１コアネットワーク間の接続を維持することを決定するように構成される第１決定サブユニットを含む。
【００１７】
本発明の実施例において、前記決定ユニットは、
第１ハンドオーバ要求メッセージを送信することにより、前記第１コアネットワーク要素または第２コアネットワーク要素は、前記端末のサービスタイプに従って、端末が第１アクセスネットワークから第２アクセスネットワークにハンドオーバするとき、前記第１アクセスネットワークと第１コアネットワーク間の接続を維持することを決定し、前記第１コアネットワーク要素または第２コアネットワーク要素からのハンドオーバフィードバックメッセージに基づいて、端末が第１アクセスネットワークから第２アクセスネットワークにハンドオーバするとき、前記第１アクセスネットワークと第１コアネットワーク間の接続を維持することを決定するように構成される第２決定サブユニットを含む。
【００１８】
本発明の実施例において、前記第１コアネットワーク要素または第２コアネットワーク要素は、前記端末のサービスタイプに従って、端末が第１アクセスネットワークから第２アクセスネットワークにハンドオーバするとき、前記第１アクセスネットワークと第１コアネットワーク間の接続を維持することを決定することは、
前記第１コアネットワーク要素または第２コアネットワーク要素は、前記第２コアネットワーク要素が前記端末のサービスタイプをサポートしないと決定した場合、端末が第１アクセスネットワークから第２アクセスネットワークにハンドオーバするとき、前記第１アクセスネットワークと第１コアネットワーク間の接続を維持することを決定することを含む。
【００１９】
本発明の実施例において、前記第１コアネットワーク要素は、前記端末のサービスタイプに従って、端末が第１アクセスネットワークから第２アクセスネットワークにハンドオーバするとき、前記第１アクセスネットワークと第１コアネットワーク間の接続を維持することを決定する場合、
前記第２決定サブユニットは、前記第１コアネットワーク要素に第１ハンドオーバ要求メッセージを送信するように構成される。
【００２０】
本発明の実施例において、前記第２コアネットワーク要素は、前記端末のサービスタイプに従って、端末が第１アクセスネットワークから第２アクセスネットワークにハンドオーバするとき、前記第１アクセスネットワークと第１コアネットワーク間の接続を維持することを決定する場合、
前記第２決定サブユニットは、前記第２コアネットワーク要素に第１ハンドオーバ要求メッセージを送信し、または前記第１コアネットワーク要素を介して前記第２コアネットワーク要素に第１ハンドオーバ要求メッセージを送信するように構成される。
【００２１】
本発明の実施例において、前記決定ユニットは、
第３決定サブユニットを含み、前記第３決定サブユニットは、第２ハンドオーバ要求メッセージを送信するように構成され、前記第２ハンドオーバ要求メッセージは指示情報を搬送し、前記指示情報は、端末が第１アクセスネットワークから第２アクセスネットワークにハンドオーバするとき、前記第１アクセスネットワークと第１コアネットワーク間の接続の維持を指示するために使用されることにより、第２コアネットワーク要素が前記第２ハンドオーバ要求メッセージを確認し、ハンドオーバ要求確認メッセージをフィードバックし、前記ハンドオーバ要求確認メッセージに基づいて、端末が第１アクセスネットワークから第２アクセスネットワークにハンドオーバするとき、前記第１アクセスネットワークと第１コアネットワーク間の接続を維持することを決定するように構成される。
【００２２】
本発明の実施例において、前記第３決定サブユニットは、第２コアネットワーク要素に第２ハンドオーバ要求メッセージを送信し、または前記第２アクセスネットワーク要素を介して前記第２コアネットワーク要素に第２ハンドオーバ要求メッセージを送信するように構成される。
【００２３】
本発明の実施例において、前記ハンドオーバ要求確認メッセージには、前記第２アクセスネットワーク要素が前記端末に対して割り当てたリソースが搬送される。
【００２４】
本発明の実施例において、前記ハンドオーバ装置は、ハンドオーバ制御ユニットおよびハンドオーバ確認ユニットをさらに含み、
前記ハンドオーバ制御ユニットは、ハンドオーバコマンドを前記端末に送信するように構成され、前記端末は、第１アクセスネットワークから第２アクセスネットワークへのハンドオーバを完了した後に、ハンドオーバ完了メッセージを前記第２アクセスネットワークに送信し、
前記ハンドオーバ確認ユニットは、前記第２アクセスネットワーク要素によって送信されるハンドオーバ確認メッセージを受信するように構成される、
本発明の実施例によって提供されるコンピュータ記憶媒体には、コンピュータ実行可能な命令が記憶され、前記コンピュータ実行可能な命令がプロセッサによって実行されるときに、前述の方法のステップを具現する。
【発明の効果】
【００２５】
本発明の実施例の技術的解決策は、第１アクセスネットワーク要素は、第１情報または受信した第１メッセージに従って、端末が第１アクセスネットワークから第２アクセスネットワークにハンドオーバするとき、前記第１アクセスネットワークと第１コアネットワーク間の接続を維持することを決定し、前記第１アクセスネットワーク要素は、第２アクセスネットワーク要素によって転送された前記端末のデータを受信し、前記データを前記第１コアネットワーク要素に送信する。本発明の実施例の技術的解決策を採用することにより、コアネットワーク要素のハンドオーバを回避し、端末のサービスは、ターゲットアクセスネットワーク要素側（すなわち、第２アクセスネットワーク要素）において、ソースアクセスネットワーク要素（すなわち、第１アクセスネットワーク要素）の転送を介して、ソースコアネットワーク要素（すなわち、第１コアネットワーク要素）に送信されることかできるため、コアネットワーク要素間のハンドオーバプロセスを実行する必要がなく、サービスの遅延が減少し、ユーザ体験を向上する。
【図面の簡単な説明】
【００２６】
ここで説明した図面は、更なる理解を提供するために使用され、本出願の一部を構成し、本発明の例示的な実施例およびそれらの説明は、本発明を説明するために使用され、本発明に対して不当な限定を構成しない。
【図１】ＮＧにおけるアクセスネットワークとコアネットワークの接続アーキテクチャ図である。
【図２】接続状態シナリオにおけるシステムハンドオーバ（即ち、コアネットワークが５Ｇ  ＣＮからＥＰＣに変更される）の例示的なフローチャートである。
【図３】アイドル状態シナリオにおけるシステムハンドオーバ（即ち、コアネットワークが５Ｇ  ＣＮからＥＰＣに変更される）の例示的なフローチャートである。
【図４】ＥＰＣと５Ｇ  ＣＮの間にＮ２６インターフェースなしのハンドオーバの例示的なフローチャートである。
【図５】本発明の実施例のハンドオーバ方法の例示的な第１フローチャートである。
【図６】本発明の実施例のハンドオーバ方法の例示的な第２フローチャートである。
【図７】本発明の実施例のハンドオーバ装置の構成の例示的な構造図である。
【図８】本発明の実施例のコンピュータ機器の構成の例示的な構造図である。
【発明を実施するための形態】
【００２７】
本発明の実施例の技術的解決策の理解を容易にするために、以下では、本発明の実施例に係る関連技術について説明する。
【００２８】
以下、ＥＰＣと５Ｇ  ＣＮの間にＮ２６インターフェースがあるかどうかを参照して、ハンドオーバプロセスについて説明する。
【００２９】
１）ＥＰＣと５Ｇ  ＣＮの間にＮ２６インターフェースがある場合
図２は、接続状態シナリオにおけるシステムハンドオーバ（即ち、コアネットワークが５Ｇ  ＣＮからＥＰＣに変更される）の例示的なフローチャートであり、図３は、アイドル状態シナリオにおけるシステムハンドオーバ（即ち、コアネットワークが５Ｇ  ＣＮからＥＰＣに変更される）の例示的なフローチャートである。図２及び図３における各ネットワーク要素の解釈は以下の通りである。
【００３０】
ＵＥ：ユーザ機器、Ｕｓｅｒ  Ｅｑｕｉｐｍｅｎｔ
Ｅ−ＵＴＲＡＮ：進化型ユニバーサル地上無線アクセス、Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ
５Ｇ−ＲＡＮ：５Ｇ無線アクセスネットワーク、５Ｇ  Ｒａｄｉｏ  Ａｃｃｅｓｓ  Ｎｅｔｗｏｒｋ
ＡＭＦ：アクセスおよびモビリティ管理機能、Ａｃｃｅｓｓ  ａｎｄ  Ｍｏｂｉｌｉｔｙ  Ｍａｎａｇｅｍｅｎｔ  Ｆｕｎｃｔｉｏｎ
ＭＭＥ：モビリティ管理エンティティ、Ｍｏｂｉｌｉｔｙ  Ｍａｎａｇｅｍｅｎｔ  Ｅｎｔｉｔｙ
ＳＧＷ：サービングゲートウェイ、Ｓｅｒｖｉｎｇ  ＧａｔｅＷａｙ
ＰＧＷ−Ｃ：パケットデータネットワークゲートウェイ−制御プレーン、Ｐａｃｋｅｔ  Ｄａｔａ  Ｎｅｔｗｏｒｋ  ＧａｔｅＷａｙ−Ｃｏｎｔｒｏｌ  ｐｌａｎｅ
ＳＭＦ：セッション管理機能、Ｓｅｓｓｉｏｎ  Ｍａｎａｇｅｍｅｎｔ  Ｆｕｎｃｔｉｏｎ
ＰＧＷ−Ｕ：パケットデータネットワークゲートウェイ−ユーザプレーン、Ｐａｃｋｅｔ  Ｄａｔａ  Ｎｅｔｗｏｒｋ  ＧａｔｅＷａｙ−Ｕｓｅｒ  ｐｌａｎｅ
ＵＰＦ：ユーザプレーン機能、Ｕｓｅｒ  Ｐｌａｎｅ  Ｆｕｎｃｔｉｏｎ
図２に示されるように、ＵＥが接続状態である場合、ハンドオーバをトリガするタイミングは、５Ｇ−ＲＡＮによって、測定したしきい値に従って決定される。５Ｇ−ＲＡＮは、ハンドオーバーをトリガすることを決定すると、５ＧコアネットワークのＡＭＦにハンドオーバ要求コマンドを送信し（即ち、ステップ１）、５Ｇコアネットワーク側は４Ｇコアネットワーク側とリソースを準備し、その後、５Ｇ−ＲＡＮによって端末にハンドオーバコマンドを送信し（即ち、ステップ１１ｂ）、ＵＥを４Ｇネットワークにハンドオーバする。
【００３１】
図３に示されるように、ＵＥがアイドル状態である場合、ＵＥは４ＧコアネットワークのＭＭＥにトラッキングエリア更新要求（ＴＡＵ  Ｒｅｑｕｅｓｔ）を送信し、ＭＭＥは、５Ｇコアネットワークから関連するコンテキスト情報を取得し、４Ｇコアネットワークでの位置更新プロセスを完了する。
【００３２】
２）ＥＰＣと５Ｇ  ＣＮの間にＮ２６インターフェースがない場合
図４は、ＥＰＣと５Ｇ  ＣＮの間にＮ２６インターフェースなしのハンドオーバの例示的なフローチャートである。
【００３３】
現在、５Ｇ  ＣＮとＥＰＣ間のシステムハンドオーバの場合、ＥＰＣと５Ｇ  ＣＮの間にＮ２６インターフェースがない場合、ＵＥの動作は２つのタイプとして規定される。
【００３４】
１）図４に示されるように、ＵＥがネットワーク側によって送信された「Ｎ２６なしのハンドオーバをサポートする」の指示を識別することができる場合、ＵＥは、ハンドオーバフラグをアタッチする（Ａｔｔａｃｈ  ｗｉｔｈ  Ｈａｎｄｏｖｅｒ  ｆｌａｇ）プロセスを実行し、５ＧシステムのＰＤＵセッションに対応するアクセスポイント名（ＡＰＮ：Ａｃｃｅｓｓ  Ｐｏｉｎｔ  Ｎａｍｅ）／データネットワーク名（ＤＮＮ：Ｄａｔａ  Ｎｅｔｗｏｒｋ  Ｎａｍｅ）を搬送し、当該アタッチ要求メッセージは、ネットワーク側がＵＥによって使用されるＡＰＮ／ＤＮＮに従って、位置する統合ネットワーク要素ＳＭＦ＋ＰＧＷ−Ｃ、ＵＰＦ＋ＰＧＷ−ＵおよびＰＣＦ＋ＰＣＲＦを検索することをトリガし、これにより、統合ネットワーク要素が４ＧのＳＭコンテキストをマッピングして、セッションＩＰアドレスの一貫性を実現する。
【００３５】
２）図４に示されるように、ＵＥがネットワーク側によって送信された「Ｎ２６なしのハンドオーバをサポートする」の指示を識別することができない場合、トラッキングエリア更新要求（ＴＡＵ  Ｒｅｑｕｅｓｔ）を直接に実行し（図４示されるようなステップ１とステップ２）、このとき、ネットワーク側がＮ２６インターフェースをサポートしない場合、ネットワーク側によってＵＥにトラッキングエリア更新拒否（ＴＡＵ  Ｒｅｊｅｃｔ）メッセージを送信し、その後、ＵＥは通常のアタッチプロセスを開始する。この場合、セッションのＩＰアドレスの一貫性を保証できない。
【００３６】
本発明の実施例によって提供されるハンドオーバ方法において、端末が第１コアネットワーク要素のカバレッジエリアから第２コアネットワーク要素のカバレッジエリアに移動する場合、元の第１コアネットワーク要素と第１アクセスネットワーク要素との間の接続が維持され、端末とコアネットワーク間のデータは、第１アクセスネットワーク要素によって転送される。
【００３７】
本発明の実施例の以下の技術的解決策において、第１アクセスネットワーク要素は、端末がアクセスしたソースアクセスネットワーク要素を指し、第２アクセスネットワーク要素は、端末がアクセスするターゲットアクセスネットワーク要素を指す。第１コアネットワーク要素は、第１アクセスネットワーク要素と接続したコアネットワーク要素を指し、第２コアネットワーク要素は、第２アクセスネットワーク要素と接続したコアネットワーク要素を指す。
【００３８】
一実施形態において、第１コアネットワーク要素はＥＰＣであり得、第２コアネットワーク要素は５Ｇ  ＣＮであり得る。もちろん、第１コアネットワーク要素は５Ｇ  ＣＮであってもよく、第２コアネットワーク要素はＥＰＣであってもよい。
【００３９】
一実施形態において、ソースアクセスネットワーク要素としての第１アクセスネットワーク要素はｅＮＢであり得、第２アクセスネットワーク要素はｇＮＢであり得る。もちろん、第１アクセスネットワーク要素はｇＮＢであってもよく、第２アクセスネットワーク要素はｅＮＢであってもよい。
【００４０】
図５は、本発明の実施例のハンドオーバ方法の例示的な第１フローチャートであり、図５に示されるように、前記ハンドオーバ方法は以下のステップを含む。
【００４１】
ステップ５０１において、第１アクセスネットワーク要素は、第１情報または受信した第１メッセージに従って、端末が第１アクセスネットワークから第２アクセスネットワークにハンドオーバするとき、前記第１アクセスネットワークと第１コアネットワーク間の接続を維持することを決定する。
【００４２】
ステップ５０１の前に、前記第１アクセスネットワーク要素は、端末によって送信された測定レポートを受信し、前記測定レポートに基づいて、コアネットワークハンドオーバを実行する必要があることを決定する。
【００４３】
本発明の実施例において、サービス遅延要件を確保するために、いくつかのシナリオでは、コアネットワークをハンドオーバする必要がない。即ち、端末が第１アクセスネットワークから第２アクセスネットワークにハンドオーバするとき、前記第１アクセスネットワークと第１コアネットワーク間の接続を維持する。コアネットワークのハンドオーバを実行する必要がないことを判断することは、次の方式によって実現できる。
【００４４】
方式１：前記第１アクセスネットワーク要素は、前記端末の能力情報および／または前記第２アクセスネットワーク要素の能力情報に従って、端末が第１アクセスネットワークから第２アクセスネットワークにハンドオーバするとき、前記第１アクセスネットワークと第１コアネットワーク間の接続を維持することを決定する。
【００４５】
方式２：前記第１アクセスネットワーク要素が第１ハンドオーバ要求メッセージを送信することにより、前記第１コアネットワーク要素は、前記端末のサービスタイプに従って、端末が第１アクセスネットワークから第２アクセスネットワークにハンドオーバするとき、前記第１アクセスネットワークと第１コアネットワーク間の接続を維持することを決定し、前記第１アクセスネットワーク要素は、前記第１コアネットワーク要素からのハンドオーバフィードバックメッセージに基づいて、端末が第１アクセスネットワークから第２アクセスネットワークにハンドオーバするとき、前記第１アクセスネットワークと第１コアネットワーク間の接続を維持することを決定する。
【００４６】
一実施形態において、前記第１アクセスネットワーク要素は、前記第１コアネットワーク要素に第１ハンドオーバ要求メッセージを送信する。
【００４７】
一実施形態において、前記第１コアネットワーク要素は、前記第２コアネットワーク要素が前記端末のサービスタイプをサポートしないと決定した場合、端末が第１アクセスネットワークから第２アクセスネットワークにハンドオーバするとき、前記第１アクセスネットワークと第１コアネットワーク間の接続を維持することを決定する。
【００４８】
方式３：前記第１アクセスネットワーク要素が第１ハンドオーバ要求メッセージを送信することにより、前記第２コアネットワーク要素は、前記端末のサービスタイプに従って、端末が第１アクセスネットワークから第２アクセスネットワークにハンドオーバするとき、前記第１アクセスネットワークと第１コアネットワーク間の接続を維持することを決定し、前記第１アクセスネットワーク要素は、前記第２コアネットワーク要素からのハンドオーバフィードバックメッセージに基づいて、端末が第１アクセスネットワークから第２アクセスネットワークにハンドオーバするとき、前記第１アクセスネットワークと第１コアネットワーク間の接続を維持することを決定する。
【００４９】
一実施形態において、前記第１アクセスネットワーク要素は、前記第２コアネットワーク要素に第１ハンドオーバ要求メッセージを送信し、または前記第１コアネットワーク要素を介して前記第２コアネットワーク要素に第１ハンドオーバ要求メッセージを送信する。
【００５０】
一実施形態において、前記第２コアネットワーク要素は、前記第２コアネットワーク要素が前記端末のサービスタイプをサポートしないと決定した場合、端末が第１アクセスネットワークから第２アクセスネットワークにハンドオーバするとき、前記第１アクセスネットワークと第１コアネットワーク間の接続を維持することを決定する。
【００５１】
方式４：前記第１アクセスネットワーク要素は、第２ハンドオーバ要求メッセージを送信し、ここで、前記第２ハンドオーバ要求メッセージは指示情報を搬送し、前記指示情報は、端末が第１アクセスネットワークから第２アクセスネットワークにハンドオーバするとき、前記第１アクセスネットワークと第１コアネットワーク間の接続の維持を指示するために使用されることにより、第２コアネットワーク要素が前記第２ハンドオーバ要求メッセージを確認し、ハンドオーバ要求確認メッセージをフィードバックし、前記第１アクセスネットワーク要素は、前記ハンドオーバ要求確認メッセージに基づいて、端末が第１アクセスネットワークから第２アクセスネットワークにハンドオーバするとき、前記第１アクセスネットワークと第１コアネットワーク間の接続を維持することを決定する。
【００５２】
一実施形態において、前記第１アクセスネットワーク要素は、第２コアネットワーク要素に第２ハンドオーバ要求メッセージを送信すし、または前記第２アクセスネットワーク要素を介して前記第２コアネットワーク要素に第２ハンドオーバ要求メッセージを送信する。
【００５３】
一実施形態において、前記ハンドオーバ要求確認メッセージには、前記第２アクセスネットワーク要素が前記端末に対して割り当てたリソースが搬送される。
【００５４】
本発明の実施例は、以下のステップをさらに含む。
【００５５】
前記第１アクセスネットワーク要素は、ハンドオーバコマンドを前記端末に送信し、ここで、前記端末は、第１アクセスネットワークから第２アクセスネットワークへのハンドオーバを完了した後に、ハンドオーバ完了メッセージを前記第２アクセスネットワークに送信し、
前記第１アクセスネットワーク要素は、前記第２アクセスネットワーク要素によって送信されるハンドオーバ確認メッセージを受信する。
【００５６】
次に、端末は、第２アクセスネットワーク要素との接続を確立し、次のステップ５０２を実行する。
【００５７】
ステップ５０２において、前記第１アクセスネットワーク要素は、第２アクセスネットワーク要素によって転送された前記端末のデータを受信し、前記データを第１コアネットワーク要素に送信する。
【００５８】
以下、具体的な応用例を参照して、本発明の実施例の技術的解決策についてさらに説明する。
【００５９】
図６は、本発明の実施例のハンドオーバ方法の例示的な第２フローチャートであり、図６に示されるように、前記ハンドオーバ方法は以下のステップを含む。
【００６０】
ステップ１において、ＵＥは、隣接するセルを測定し、ネットワークによってプリセットされた測定レポート報告条件を満たすときに、測定レポート（ＭＲ）をＳ−ｅＮＢに報告する。
【００６１】
ここで、Ｓ−ｅＮＢは、ＵＥのソースアクセスネットワーク要素である。
【００６２】
Ｓ−ｅＮＢは、ＵＥによって送信されたＭＲを受信した後、ＭＲに従ってｓｙｓｔｅｍハンドオーバを実行する必要があると判断する。
【００６３】
ステップ２ａにおいて、Ｓ−ｅＮＢは、端末の能力情報またはＴ−ｇＮＢの能力情報に従って、端末のコアネットワークをハンドオーバしないと判断する。または、
ステップ２ｂにおいて、Ｓ−ｅＮＢは、Ｔ−ｇＮＢの識別情報を含むハンドオーバ要求メッセージをＥＰＣに送信する。ＥＰＣは、Ｓ−ｅＮＢのハンドオーバ要求メッセージを受信した後、低遅延サービス、音声サービス、または任意の５Ｇ  ＣＮがサポートできないサービスなどの端末によって確立されたサービスタイプに従って、端末のコアネットワークを変更しないことを決定し、Ｓ−ｅＮＢにフィードバックする。または、
ステップ２ｂ＋２ｃにおいて、Ｓ−ｅＮＢは、ハンドオーバ要求メッセージをＥＰＣに送信し、ＥＰＣは、ハンドオーバ要求メッセージを５Ｇ  ＣＮに送信する。５Ｇ  ＣＮは、ＥＰＣのハンドオーバ要求メッセージを受信した後、低遅延サービス、音声サービス、または任意の５Ｇ  ＣＮがサポートできないサービスなどのサービスタイプに従って、端末のコアネットワークを変更しないことを決定し、ＥＰＣおよびＳ−ｅＮＢにフィードバックする。または、
ステップ３＋４＋５において、Ｓ−ｅＮＢは、ハンドオーバ（ＨＯ）要求メッセージをＴ−ｇＮＢに送信し、前記ＨＯ要求メッセージには、端末のコアネットワークを変更しないという指示情報が搬送され、Ｔ−ｇＮＢは、端末のコアネットワークを変更しないように５Ｇ  ＣＮに通知し、５Ｇ  ＣＮは端末のコアネットワークが変更されないことを確認し、Ｔ−ｇＮＢは、ＨＯ要求確認メッセージをＳ−ｅＮＢに送信し、前記ＨＯ要求確認メッセージには、Ｔ−ｇＮＢによってＵＥに割り当てられたリソース情報が搬送される。
【００６４】
上記の技術案において、ステップ２ａ、ステップ２ｂ、ステップ２ｂ＋２ｃおよびステップ３＋４＋５は、端末のコアネットワークを変更しないことを決定することができる。
【００６５】
ステップ６：Ｓ−ｅＮＢは、ＨＯコマンドをＵＥに送信する。
【００６６】
ステップ７：ＵＥは、ＨＯ完了メッセージをＴ−ｇＮＢに送信する。
【００６７】
ステップ８：Ｔ−ｇＮＢは、ＨＯ確認メッセージをＳ−ｅＮＢに送信する。
【００６８】
図７は、本発明の実施例のハンドオーバ装置の構成の例示的な構造図であり、図７に示されるように、前記ハンドオーバ装置は、
第１情報または受信した第１メッセージに従って、端末が第１アクセスネットワークから第２アクセスネットワークにハンドオーバするとき、前記第１アクセスネットワークと第１コアネットワーク間の接続を維持することを決定するように構成される決定ユニット７０１と、
第２アクセスネットワーク要素によって転送された前記端末のデータを受信し、前記データを第１コアネットワーク要素に送信するように構成される伝送ユニット７０２とを含む。
【００６９】
一実施形態において、前記決定ユニット７０１は、
前記端末の能力情報および／または前記第２アクセスネットワーク要素の能力情報に従って、端末が第１アクセスネットワークから第２アクセスネットワークにハンドオーバするとき、前記第１アクセスネットワークと第１コアネットワーク間の接続を維持することを決定するように構成される第１決定サブユニット７０１１を含む。
【００７０】
一実施形態において、前記決定ユニット７０１は、
第１ハンドオーバ要求メッセージを送信することにより、前記第１コアネットワーク要素または第２コアネットワーク要素は、前記端末のサービスタイプに従って、端末が第１アクセスネットワークから第２アクセスネットワークにハンドオーバするとき、前記第１アクセスネットワークと第１コアネットワーク間の接続を維持することを決定し、前記第１コアネットワーク要素または第２コアネットワーク要素からのハンドオーバフィードバックメッセージに基づいて、端末が第１アクセスネットワークから第２アクセスネットワークにハンドオーバするとき、前記第１アクセスネットワークと第１コアネットワーク間の接続を維持することを決定するように構成される第２決定サブユニット７０１２を含む。
【００７１】
一実施形態において、前記第１コアネットワーク要素または第２コアネットワーク要素は、前記端末のサービスタイプに従って、端末が第１アクセスネットワークから第２アクセスネットワークにハンドオーバするとき、前記第１アクセスネットワークと第１コアネットワーク間の接続を維持することを決定することは、
前記第１コアネットワーク要素または第２コアネットワーク要素は、前記第２コアネットワーク要素が前記端末のサービスタイプをサポートしないと決定した場合、端末が第１アクセスネットワークから第２アクセスネットワークにハンドオーバするとき、前記第１アクセスネットワークと第１コアネットワーク間の接続を維持することを決定することを含む。
【００７２】
一実施形態において、前記第１コアネットワーク要素は、前記端末のサービスタイプに従って、端末が第１アクセスネットワークから第２アクセスネットワークにハンドオーバするとき、前記第１アクセスネットワークと第１コアネットワーク間の接続を維持することを決定する場合、
前記第２決定サブユニット７０１２は、前記第１コアネットワーク要素に第１ハンドオーバ要求メッセージを送信するように構成される。
【００７３】
一実施形態において、前記第２コアネットワーク要素は、前記端末のサービスタイプに従って、端末が第１アクセスネットワークから第２アクセスネットワークにハンドオーバするとき、前記第１アクセスネットワークと第１コアネットワーク間の接続を維持することを決定する場合、
前記第２決定サブユニット７０１２は、前記第２コアネットワーク要素に第１ハンドオーバ要求メッセージを送信し、または前記第１コアネットワーク要素を介して前記第２コアネットワーク要素に第１ハンドオーバ要求メッセージを送信するように構成される。
【００７４】
一実施形態において、前記決定ユニット７０１は、
第２ハンドオーバ要求メッセージを送信するように構成され、前記第２ハンドオーバ要求メッセージは指示情報を搬送し、前記指示情報は、端末が第１アクセスネットワークから第２アクセスネットワークにハンドオーバするとき、前記第１アクセスネットワークと第１コアネットワーク間の接続の維持を指示するために使用されることにより、第２コアネットワーク要素が前記第２ハンドオーバ要求メッセージを確認し、ハンドオーバ要求確認メッセージをフィードバックし、前記ハンドオーバ要求確認メッセージに基づいて、端末が第１アクセスネットワークから第２アクセスネットワークにハンドオーバするとき、前記第１アクセスネットワークと第１コアネットワーク間の接続を維持することを決定するように構成される第３決定サブユニット７０１３を含む。
【００７５】
一実施形態において、前記第３決定サブユニット７０１３は、第２コアネットワーク要素に第２ハンドオーバ要求メッセージを送信し、または前記第２アクセスネットワーク要素を介して前記第２コアネットワーク要素に第２ハンドオーバ要求メッセージを送信するように構成される。
【００７６】
一実施形態において、前記ハンドオーバ要求確認メッセージには、前記第２アクセスネットワーク要素が前記端末に対して割り当てたリソースが搬送される。
【００７７】
一実施形態において、前記ハンドオーバ装置は、
ハンドオーバ制御ユニット７０３およびハンドオーバ確認ユニット７０４をさらに含み、
前記ハンドオーバ制御ユニット７０３は、ハンドオーバコマンドを前記端末に送信するように構成され、ここで、前記端末は、第１アクセスネットワークから第２アクセスネットワークへのハンドオーバを完了した後に、ハンドオーバ完了メッセージを前記第２アクセスネットワークに送信し、
前記ハンドオーバ確認ユニット７０４は、前記第２アクセスネットワーク要素によって送信されるハンドオーバ確認メッセージを受信するように構成される。
【００７８】
当業者は、図７に示されるハンドオーバ装置の各ユニットによって実現される機能は、前述のハンドオーバ方法に関する説明を参照することによって理解され得ることを理解されたい。図７に示されるハンドオーバ装置の各ユニットの機能は、プロセッサで実行されるプログラムによって実現されてもよいし、特定の論理回路によって実現されてもよい。
【００７９】
本発明の実施例の前記ハンドオーバ装置がソフトウェア機能モジュールの形態で実装され、スタンドアロン製品として販売または使用される場合、コンピュータ読み取り可能な記憶媒体に格納されることができる。このような理解に基づいて、本発明の実施例の技術的解決策は、本質で先行技術に対して貢献のある部分は、ソフトウェア製品の形で具現されることができ、当該コンピュータソフトウェア製品は、１つの記憶媒体に記憶されて、一台のコンピュータ装置（パーソナルコンピュータ、サーバ、またはネットワーク装置等などであり得る）が本発明の各実施例の前記方法の全部または一部を実行させるために、いくつかの命令を含む。上記した記憶媒体は、Ｕディスク、モバイルハードディスク、読み取り専用メモリ（ＲＯＭ、Ｒｅａｄ  Ｏｎｌｙ  Ｍｅｍｏｒｙ）、磁気ディスクまたは光ディスクなどのプログラムコードを記憶することができる様々なメディアを含む。こうして、本発明の実施例は、いずれかのハードウェアおよびソフトウェアの特定の組み合わせに限定されない。
【００８０】
対応的に、本発明の実施例は、コンピュータ記憶媒体をさらに提供し、前記コンピュータ記憶媒体は、コンピュータ実行可能な命令を記憶するように構成され、前記コンピュータ実行可能な命令がプロセッサによって実行されるときに、本発明の実施例のハンドオーバ方法を具現する。
【００８１】
図８は、本発明の実施例のコンピュータ機器の構成の例示的な構造図であり、当該コンピュータ機器は、端末であってもよく、ネットワーク機器であってもよい。図８に示されるように、コンピュータ機器１００は、１つまたは複数（図には１つだけ示される）のプロセッサ１００２（プロセッサ１００２は、マイクロコントローラユニット（ＭＣＵ：Ｍｉｃｒｏ  Ｃｏｎｔｒｏｌｌｅｒ  Ｕｎｉｔ）またはフィールドプログラマブルゲートアレイ（ＦＰＧＡ：Ｆｉｅｌｄ  Ｐｒｏｇｒａｍｍａｂｌｅ  Ｇａｔｅ  Ａｒｒａｙ）などの処理装置を含むことができるが、これらに限定されない）、データを記憶するためのメモリ１００４、および通信機能のための伝送装置１００６を含むことができる。当業者は、図８に示される構造が単なる例示であって、前述の電子装置の構造を限定しないことを理解することができる。例えば、コンピュータ機器１００は、図８に示されるものよりも多いまたは少ないコンポーネントを含むことができ、または図８に示されるものとは異なる構成を有することができる。
【００８２】
メモリ１００４は、本発明の実施例における方法に対応するプログラム命令／モジュールなどのアプリケーションプログラムのソフトウェアプログラムおよびモジュールを記憶するために使用されることができる。プロセッサ１００２は、メモリ１００４に記憶されたソフトウェアプログラムおよびモジュールを実行することによって、様々な機能アプリケーションおよびデータ処理を実行し、即ち、上記の方法を具現する。メモリ１００４は、高速ランダムアクセスメモリを含むことができ、１つまたは複数の磁気記憶装置、フラッシュメモリ、または他の不揮発性ソリッドステートメモリなどの不揮発性メモリを含むこともできる。一実施形態において、メモリ１００４は、プロセッサ１００２に対してリモートで設置されたメモリをさらに含むことができ、これらのリモートメモリは、ネットワークを介してコンピュータ機器１００に接続されることができる。上記のネットワークの例には、インターネット、イントラネット、ローカルエリアネットワーク、モバイル通信ネットワーク、およびそれらの組み合わせが含まれるが、これらに限定されない。
【００８３】
伝送装置１００６は、ネットワークを介してデータを受信または送信するために使用される。上記ネットワークの具体例は、コンピュータ機器１００の通信事業者が提供する無線ネットワークを含むことができる。一実施形態において、伝送装置１００６は、基地局を介して他のネットワーク機器と接続してインターネットと通信することができるネットワークインターフェースコントローラ（ＮＩＣ：Ｎｅｔｗｏｒｋ  Ｉｎｔｅｒｆａｃｅ  Ｃｏｎｔｒｏｌｌｅｒ）を含む。一実施形態において、伝送装置１００６は、無線方式でインターネットと通信するために使用される無線周波数（ＲＦ、Ｒａｄｉｏ  Ｆｒｅｑｕｅｎｃｙ）モジュールであり得る。
【００８４】
本発明の実施例で説明された技術的解決策は、競合しない場合、任意に組み合わせることができる。
【００８５】
本発明によって提供されるいくつかの実施例では、開示された方法およびスマート機器は、他の方法で実現され得ることを理解されたい。上記で説明された機器の実施例は単なる例示的な実施例であり、例えば、前記ユニットの分割は論理的な機能の分割に過ぎず、実際の実現では、例えば、複数のユニットまたはコンポーネントを組み合わせたり、別のシステムに統合したり、一部の特徴を無視したり、実行しないことなどの別の分割方法があり得る。なお、表示または議論される各構成要素間の相互結合または直接結合または通信接続は、いくつかのインターフェース、機器またはユニットを介した間接な結合または通信接続であり得、電気的、機械的または他の形態であり得る。
【００８６】
上記の分離部材として説明されたユニットは、物理的に分離されている場合とされていない場合があり、ユニットとして表示された部材は、物理ユニットである場合もそうでない場合もあり、１箇所に配置される場合もあれば、複数のネットワークユニットに分散される場合もあり、実際の必要に応じて、その一部またはすべてのユニットを選択して、本実施例の技術案の目的を具現することができる。
【００８７】
なお、本発明の各実施例における各機能ユニットは、全部１つの第２処理ユニットに統合してもよいし、各ユニットを別々に１つのユニットとして使用してもよいし、２つ以上のユニットを１つのユニットに統合してもよい。上記の統合されたユニットは、ハードウェアの形態で、またはハードウェアおよびソフトウェア機能ユニットの形態で具現することができる。
【００８８】
上記の内容は、本発明の具体的な実施形態に過ぎないが、本発明の保護範囲はこれに限定されず、当業者は、本発明に開示された技術的範囲内で容易に想到し得る変更または置換は、すべて本発明の保護範囲内に含まれるべきである。
【図１】
2021516476.tif 000003
【図２】
2021516476.tif 000004
【図３】
2021516476.tif 000005
【図４】
2021516476.tif 000006
【図５】
2021516476.tif 000007
【図６】
2021516476.tif 000008
【図７】
2021516476.tif 000009
【図８】
2021516476.tif 000010
【手続補正書】
【提出日】令和2年12月17日(2020.12.17)
【手続補正１】
【補正対象書類名】特許請求の範囲
【補正対象項目名】全文
【補正方法】変更
【補正の内容】
【特許請求の範囲】
【請求項１】
ハンドオーバ方法であって、
第１アクセスネットワーク要素は、第１情報または受信した第１メッセージに従って、端末が第１アクセスネットワークから第２アクセスネットワークにハンドオーバするとき、前記第１アクセスネットワークと第１コアネットワーク間の接続を維持することを決定することと、
前記第１アクセスネットワーク要素は、前記第２アクセスネットワーク要素によって転送された前記端末のデータを受信し、前記データを前記第１コアネットワーク要素に送信することとを含む、前記ハンドオーバ方法。
【請求項２】
前記第１アクセスネットワーク要素は、第１情報に従って、端末が第１アクセスネットワークから第２アクセスネットワークにハンドオーバするとき、前記第１アクセスネットワークと第１コアネットワーク間の接続を維持することを決定することは、
前記第１アクセスネットワーク要素は、前記端末の能力情報および／または前記第２アクセスネットワーク要素の能力情報に従って、端末が第１アクセスネットワークから第２アクセスネットワークにハンドオーバするとき、前記第１アクセスネットワークと第１コアネットワーク間の接続を維持することを決定することを含む、
請求項１に記載のハンドオーバ方法。
【請求項３】
前記第１アクセスネットワーク要素は、受信した第１メッセージに従って、端末が第１アクセスネットワークから第２アクセスネットワークにハンドオーバするとき、前記第１アクセスネットワークと第１コアネットワーク間の接続を維持することを決定することは、
前記第１アクセスネットワーク要素が第１ハンドオーバ要求メッセージを送信することにより、前記第１コアネットワーク要素または第２コアネットワーク要素は、前記端末のサービスタイプに従って、端末が第１アクセスネットワークから第２アクセスネットワークにハンドオーバするとき、前記第１アクセスネットワークと第１コアネットワーク間の接続を維持することを決定することと、
前記第１アクセスネットワーク要素は、前記第１コアネットワーク要素または第２コアネットワーク要素からのハンドオーバフィードバックメッセージに基づいて、端末が第１アクセスネットワークから第２アクセスネットワークにハンドオーバするとき、前記第１アクセスネットワークと第１コアネットワーク間の接続を維持することを決定することとを含む、
請求項１に記載のハンドオーバ方法。
【請求項４】
前記第１コアネットワーク要素または第２コアネットワーク要素は、前記端末のサービスタイプに従って、端末が第１アクセスネットワークから第２アクセスネットワークにハンドオーバするとき、前記第１アクセスネットワークと第１コアネットワーク間の接続を維持することを決定することは、
前記第１コアネットワーク要素または第２コアネットワーク要素は、前記第２コアネットワーク要素が前記端末のサービスタイプをサポートしないと決定した場合、端末が第１アクセスネットワークから第２アクセスネットワークにハンドオーバするとき、前記第１アクセスネットワークと第１コアネットワーク間の接続を維持することを決定することを含む、
請求項３に記載のハンドオーバ方法。
【請求項５】
前記第１コアネットワーク要素は、前記端末のサービスタイプに従って、端末が第１アクセスネットワークから第２アクセスネットワークにハンドオーバするとき、前記第１アクセスネットワークと第１コアネットワーク間の接続を維持することを決定する場合、
前記第１アクセスネットワーク要素が第１ハンドオーバ要求メッセージを送信することは、
前記第１アクセスネットワーク要素が前記第１コアネットワーク要素に第１ハンドオーバ要求メッセージを送信することを含む、
請求項３または４に記載のハンドオーバ方法。
【請求項６】
前記第２コアネットワーク要素は、前記端末のサービスタイプに従って、端末が第１アクセスネットワークから第２アクセスネットワークにハンドオーバするとき、前記第１アクセスネットワークと第１コアネットワーク間の接続を維持することを決定する場合、
前記第１アクセスネットワーク要素が第１ハンドオーバ要求メッセージを送信することは、
前記第１アクセスネットワーク要素が前記第２コアネットワーク要素に第１ハンドオーバ要求メッセージを送信すること、または前記第１コアネットワーク要素を介して前記第２コアネットワーク要素に第１ハンドオーバ要求メッセージを送信することを含む、
請求項３または４に記載のハンドオーバ方法。
【請求項７】
前記第１アクセスネットワーク要素は、受信した第１メッセージに従って、端末が第１アクセスネットワークから第２アクセスネットワークにハンドオーバするとき、前記第１アクセスネットワークと第１コアネットワーク間の接続を維持することを決定することは、
前記第１アクセスネットワーク要素が第２ハンドオーバ要求メッセージを送信することであって、前記第２ハンドオーバ要求メッセージは指示情報を搬送し、前記指示情報は、端末が第１アクセスネットワークから第２アクセスネットワークにハンドオーバするとき、前記第１アクセスネットワークと第１コアネットワーク間の接続の維持を指示するために使用されることにより、第２コアネットワーク要素が前記第２ハンドオーバ要求メッセージを確認し、ハンドオーバ要求確認メッセージをフィードバックすることと、
前記第１アクセスネットワーク要素は、前記ハンドオーバ要求確認メッセージに基づいて、端末が第１アクセスネットワークから第２アクセスネットワークにハンドオーバするとき、前記第１アクセスネットワークと第１コアネットワーク間の接続を維持することを決定することを含む、
請求項１に記載のハンドオーバ方法。
【請求項８】
前記第１アクセスネットワーク要素が第２ハンドオーバ要求メッセージを送信することは、
前記第１アクセスネットワーク要素が第２コアネットワーク要素に第２ハンドオーバ要求メッセージを送信すること、または前記第２アクセスネットワーク要素を介して前記第２コアネットワーク要素に第２ハンドオーバ要求メッセージを送信することを含む、
請求項７に記載のハンドオーバ方法。
【請求項９】
前記ハンドオーバ要求確認メッセージには、前記第２アクセスネットワーク要素が前記端末に対して割り当てたリソースが搬送される、
請求項７または８に記載のハンドオーバ方法。
【請求項１０】
前記方法は、
前記第１アクセスネットワーク要素がハンドオーバコマンドを前記端末に送信することであって、前記端末は、第１アクセスネットワークから第２アクセスネットワークへのハンドオーバを完了した後に、ハンドオーバ完了メッセージを前記第２アクセスネットワークに送信することと、
前記第１アクセスネットワーク要素は、前記第２アクセスネットワーク要素によって送信されるハンドオーバ確認メッセージを受信することとをさらに含む、
請求項１ないし９のいずれか一項に記載のハンドオーバ方法。
【請求項１１】
ハンドオーバ装置であって、
第１情報または受信した第１メッセージに従って、端末が第１アクセスネットワークから第２アクセスネットワークにハンドオーバするとき、前記第１アクセスネットワークと第１コアネットワーク間の接続を維持することを決定するように構成される決定ユニットと、
第２アクセスネットワーク要素によって転送された前記端末のデータを受信し、前記データを第１コアネットワーク要素に送信するように構成される伝送ユニットとを含む、前記ハンドオーバ装置。
【請求項１２】
前記決定ユニットは、
前記端末の能力情報および／または前記第２アクセスネットワーク要素の能力情報に従って、端末が第１アクセスネットワークから第２アクセスネットワークにハンドオーバするとき、前記第１アクセスネットワークと第１コアネットワーク間の接続を維持することを決定するように構成される第１決定サブユニットを含む、
請求項１１に記載のハンドオーバ装置。
【請求項１３】
前記決定ユニットは、
第１ハンドオーバ要求メッセージを送信することにより、前記第１コアネットワーク要素または第２コアネットワーク要素は、前記端末のサービスタイプに従って、端末が第１アクセスネットワークから第２アクセスネットワークにハンドオーバするとき、前記第１アクセスネットワークと第１コアネットワーク間の接続を維持することを決定し、前記第１コアネットワーク要素または第２コアネットワーク要素からのハンドオーバフィードバックメッセージに基づいて、端末が第１アクセスネットワークから第２アクセスネットワークにハンドオーバするとき、前記第１アクセスネットワークと第１コアネットワーク間の接続を維持することを決定するように構成される第２決定サブユニットを含む、
請求項１１に記載のハンドオーバ装置。
【請求項１４】
ハンドオーバ装置であって、
プロセッサと、プロセッサ上で実行可能なソフトウェアプログラムを格納するように構成されたメモリと、通信機能用に構成されたトランシーバとを含み、
前記プロセッサは、請求項１から１０のいずれか一項に記載の方法を実施するソフトウェアプログラムを実行するように構成される、前記ハンドオーバ装置。
【請求項１５】
コンピュータ記憶媒体であって、
前記コンピュータ記憶媒体には、コンピュータ実行可能な命令が記憶され、前記コンピュータ実行可能な命令がプロセッサによって実行されるときに、請求項１ないし１０のいずれか一項に記載の方法のステップを具現する、前記コンピュータ記憶媒体。
【国際調査報告】
2021516476.tif 000011
2021516476.tif 000012
2021516476.tif 000013
2021516476.tif 000014